(57)【要約】【課題】便器自体が清掃機能を有する新しい便器を提供すること。【解決手段】便器本体１に床のゴミを吸引する吸引手段９、１０、１１、１２が設けられている。【選択図】図１
2008081964.tif 000002
【特許請求の範囲】
【請求項１】
便器本体に床のゴミを吸引する吸引手段が設けられていることを特徴とする便器。
【請求項２】
吸引手段は、便器本体下部のスカート部の下端に設けられた吸引口と、便器本体の内部に設けられたファンと、吸引口とファンの吸気口とを連通接続する便器本体内部に設けられた吸気路とを備えていることを特徴とする請求項１に記載の便器。
【請求項３】
吸引手段は、さらに、ファンの排気口に連通接続され、末端にボウルに臨む排出口を有する、便器本体の内部に設けられた排気路を備えていることを特徴とする請求項２に記載の便器。
【請求項４】
床のゴミを集める回収手段が吸引口の周辺に設けられていることを特徴とする請求項２または３に記載の便器。
【請求項５】
回収手段は、床のゴミを掃き集めるほうき部と、ほうき部を便器本体外と吸引口との間に移動させる機構部とを備えていることを特徴とする請求項４に記載の便器。
【請求項６】
ほうき部は便器本体の外郭の一部を形成することを特徴とする請求項５に記載の便器。
【請求項７】
便器は、ボウル面の洗浄を自動的に行わせる制御部を備えた水洗便器であり、制御部は、ゴミがボウルに排出された後にボウル面の洗浄を自動的に行わせることを特徴とする請求項３ないし６いずれか一項に記載の便器。
【発明の詳細な説明】
【技術分野】
【０００１】
本発明は、清掃機能を有する便器に関する。
【背景技術】
【０００２】
トイレルームは、トイレットペーパーを使用することもあり、埃、ゴミの多い部屋の一つであるが、トイレルームには便器が設置されており、スペースにゆとりがなく、掃除がしにくくなっている。特に便器後方の奥は人の手が届きにくい場所であり、掃除が困難になっている。また、雑巾などによる拭き取りは、顔が便蓋などに接近するため、敬遠されがちであり、ほうきや掃除機などの掃除道具を使用する場合には、他の部屋との共用はなるべくなら避けたく、これらのことがトイレルームの掃除を一層困難にしている。
【０００３】
そこで、本出願人は、トイレ清掃装置を提案している（特許文献１）。
【０００４】
トイレ清掃装置は、水洗便器に取り付けられる局部洗浄装置に備えた乾燥手段または脱臭装置を利用し、その吸込口または吹出口にフレキシブルホースの一端部を接続し、ファンを作動させることにより、フレキシブルホースの他端部から塵、埃を吸引するというものである。
【特許文献１】特開２００４−２７６２３号公報
【発明の開示】
【発明が解決しようとする課題】
【０００５】
本発明は、上記のトイレ清掃装置についての技術コンセプトを発展させ、便器自体が清掃機能を有する新しい便器を提供することを課題としている。
【課題を解決するための手段】
【０００６】
本発明の便器は、上記の課題を解決するために、以下のことを特徴としている。
【０００７】
第１に、便器本体に床のゴミを吸引する吸引手段が設けられている。
【０００８】
第２に、上記において、吸引手段は、便器本体下部のスカート部の下端に設けられた吸引口と、便器本体の内部に設けられたファンと、吸引口とファンの吸気口とを連通接続する便器本体内部に設けられた吸気路とを備えている。
【０００９】
第３に、上記において、吸引手段は、さらに、ファンの排気口に連通接続され、末端にボウルに臨む排出口を有する、便器本体の内部に設けられた排気路を備えている。
【００１０】
第４に、上記において、床のゴミを集める回収手段が吸引口の周辺に設けられている。
【００１１】
第５に、上記において、回収手段は、床のゴミを掃き集めるほうき部と、ほうき部を便器本体外と吸引口との間に移動させる機構部とを備えている。
【００１２】
第６に、上記において、ほうき部は便器本体の外郭の一部を形成する。
【００１３】
第７に、上記において、便器は、ボウル面の洗浄を自動的に行わせる制御部を備えた水洗便器であり、制御部は、ゴミがボウルに排出された後にボウル面の洗浄を自動的に行わせる。
【発明の効果】
【００１４】
上記第１の発明によれば、便器本体に吸引手段が設けられているので、床のゴミを便器が吸引し、除去することができる。
【００１５】
上記第２の発明によれば、ファンの作動によって吸引口および吸気路を通じて床のゴミを吸引することができる。
【００１６】
上記第３の発明によれば、排気路の末端の排出口がボウルに臨んでいるので、吸引したゴミをボウルに排出することができる。
【００１７】
上記第４の発明によれば、回収手段によって床のゴミを吸引口の周辺に集めることができ、床のゴミを効率よく吸引し、除去することができる。
【００１８】
上記第５の発明によれば、機構部によってほうき部を便器本体外と吸引口の間を往復移動させることにより床のゴミを吸引口の周辺に掃き集めることができる。
【００１９】
上記第６の発明によれば、ほうき部は収納時に便器本体の外郭の一部となり、便器の外観が良好となる。
【００２０】
上記第７の発明によれば、ボウルに排出した床のゴミを排出後に自動的に便器外に排出することができ、利便性が向上する。
【発明を実施するための最良の形態】
【００２１】
図１は、本発明の便器の第１の実施形態を示した斜視図である。
【００２２】
図１に示した便器は、ロータンクのない水道管直結式の水洗便器である。すなわち、便器本体１の後部上端部に取り付けられた給水洗浄部２が、トイレルームの内壁に一端が固定された給水管３に止水栓４を介し、供給管５を通じて連通接続され、水道管と直結している。給水洗浄部２に備えた制御部６により、汚物排出時に洗浄水が水道管より直接ボウル７に供給され、ボウル面７ａの洗浄が行われる。
【００２３】
なお、図１は、便座および便蓋を省略して図示しているが、図１に示した水洗便器にも従来と同様に便座および便蓋が取り付けられる。
【００２４】
便器本体１の下部のスカート部１ａには、後方の側部下端に横長形状の凹部８が形成され、凹部８に便器本体１外に開口する横長形状の吸引口９が設けられている。便器本体１の後部下部には内部にファン１０が設けられ、ファン１０の吸気口１０ａは、便器本体１の内部に設けられた吸気路１１を通じて吸引口９と連通接続されている。ファン１０の排気口１０ｂは、便器本体１の内部に設けられた排気路１２の一端に連通接続している。排気路１２の末端には排出口１３が設けられ、排出口１３はボウル７に臨んでいる。図１に示した水洗便器では、吸引口９、ファン１０、吸気路１１および排気路１２によって吸引手段を構成している。
【００２５】
ファン１０を作動させると、負圧が生じ、吸引口９の周辺の床のゴミが吸引口９を通じて便器本体１の内部の吸気路１１に吸い込まれる。吸い込まれたゴミは、ファン１０の吸気口１０ａおよび排気口１０ｂを通り、排気路１２に送り出される。そして、気流にともなわれてゴミは排出口１３からボウル７に排出される。このように、図１に示した水洗便器では、便器本体１に吸引手段が設けられているので、水洗便器自体が清掃機能を有しており、水洗便器が床の掃除をすることができ、床のゴミを吸い込むことができる。特に図１に示した水洗便器では、吸引口９が便器本体１の後方の側部下端に設けられているので、手の届きにくい便器後方の奥側の床を掃除することができる。吸い取ったゴミはボウル７に排出される。したがって、ゴミの捕集の手間が省ける。また、排出されたゴミは、給水洗浄部２を作動させることにより、排水とともに水洗便器外に排出することができる。ゴミの後始末の手間も省ける。このゴミの排出は、ゴミがボウル７に排出されたのを居住者が確認した後、リモコン操作などによって行う他に、制御部６によって制御することもできる。たとえば、ファン１０の動作を制御部６によって制御し、制御部６に、ファン１０の停止後に給水洗浄部２を作動させ、ボウル面７ａの洗浄を行わせるように設定する。この設定により、ゴミがボウル７に排出された後のボウル面７ａの洗浄によってゴミを自動的に水洗便器外に排出することができる。利便性が向上する。
【００２６】
なお、本発明の便器では、排気路１２は、末端に排出口１３を有するものでなく、末端を便器本体１外に開口する排気口としたものとすることもできる。排気口は、便器本体１の後部側面などに形成することができる。この場合、吸い取ったゴミの捕集部を便器本体１の内部に設け、紙製、布製などのゴミパックにゴミを捕集するようにすることができる。便器本体１の側面などにゴミの捕集部に連通する開口を設け、ある程度の量のゴミが溜まった後にゴミパックを取り出し、掃除または交換を行うようにする。開口にはカバーを着脱自在に設け、ゴミパックの掃除または交換の際にカバーを取り外せるようにし、装着時にはカバーが便器本体１の外郭の一部を形成し、外観が良好に保てるようにする。
【００２７】
また、図１に示した水洗便器には、床のゴミを集める回収手段が吸引口９の周辺に設られている。すなわち、吸引口９に対向し、下端部の便器本体１側にブラシ、へらなどの掃き取り手段１４を有する横長形状のほうき部１５が、便器本体１外と吸引口９との間を図１図中に示した矢印方向に移動可能に設けられている。ほうき部１５は、左右両端部においてアーム１６に支持されている。アーム１６は便器本体１の内外を進退自在とされており、アーム１６の進退にともなわれてほうき部１５が図１図中に示した矢印方向に往復移動するようにしている。アーム１６は、ほうき部１５を便器本体１外と吸引口９との間に移動させる機構部の一部として設けられている。機構部は、アーム１６の他、適宜なリンク、カムなどを含み、レバー操作などによってほうき部１５を移動させることができる。また、機構部にはモータを設けることもでき、この場合、制御部６によってモータの動作を制御することができ、リモコン操作、設定されたタイミングなどによりほうき部１５を移動させることができる。このようなほうき部１５および機構部によって回収手段が構成されている。
【００２８】
ほうき部１５が便器本体１外と吸引口９との間を往復移動することによって、床に接触する掃き取り手段１４が床のゴミを吸引口９の周辺に集める。吸引口９よりやや離れたところにあるゴミも吸引口９の周辺に集めることができ、床のゴミを効率よく吸引し、除去することができる。ほうき部１５の動作を制御部６によって制御する場合には、ファン１０の動作制御と合わせることにより、たとえば、リモコンに掃除スイッチを設け、掃除スイッチをＯＮにしたときに、ファン１０の作動開始の前にほうき部１５を便器本体１外と吸引口９との間を数回往復移動させ、その後、ファン１０を作動させて掃き取り集めた吸引口９周辺のゴミを吸い取り、ボウル７に排出し、そして、給水洗浄部２を作動させてボウル面７ａの自動洗浄を行い、ゴミを水洗便器外に排出することができる。水洗便器周辺の掃除作業を自動化することができ、トイレルームの掃除の煩わしさが解消される。また、数時間、１日おきの所定時刻などにほうき部１５によるゴミの自動回収を行わせるように制御部６に設定することにより、全自動式の掃除が可能ともなる。
【００２９】
ほうき部１５は、また、便器本体１の下部のスカート部１ａに形成された凹部８の蓋を兼用している。使用しない場合には、ほうき部１５は凹部８に納められ、凹部８を蓋するとともに、便器本体１の外郭の一部を形成する。したがって、ほうき部１５の収納時にはほうき部１５の表面が便器本体１の側部表面と面一となり、便器の外観が良好となる。
【００３０】
なお、図１に示した水洗便器は水道管直結式の水洗便器であるが、本発明の水洗便器は、ロータンクを備えた水洗便器にも等しく適用可能である。
【００３１】
図２は、本発明の便器の第２の実施形態を示した斜視図である。
【００３２】
本実施形態において第１の実施形態と共通する部分には同一の符号を付し、その説明を省略する。
【００３３】
本実施形態では、便器本体１の下部のスカート部１ａの前方下端に凹部８が形成され、凹部８に吸引口９が設けられ、吸引口９の周辺にほうき部１５およびアーム１６を備えた床のゴミを集める回収手段が設けられている。また、吸気路１１が、便器本体１の後部下部の内部に設けられたファン１０の吸気口１０ａと吸引口９とを連通接続するように、前方から後方にかけて便器本体１の内部に設けられている。
【００３４】
図２に示した水洗便器においても、ほうき部１５による床のゴミの掃き集め、集めたゴミの吸い込み、ゴミのボウル７への排出およびゴミの水洗便器外への排出を図１に示した水洗便器と同様に行うことができる。つまり、本発明の便器では、吸引口９は、便器本体１の下部のスカート部１ａの下端であれば、前方、後方を問わずに設けることができ、異なる位置にそれぞれ吸引口９を設けることもできる。また、吸引口９の形状も凹部８の形状に合わせた横長形状とする以外に丸、角などの穴状とすることもできる。この場合、一つの凹部８につき複数の穴状の吸引口９を設けることも可能である。吸気路１１は、各吸引口９とファン１０の吸気口１０ａを連通接続するように分枝状にすることができる。さらに、凹部８は、回収手段を必ずしも必要としない場合には省略することができ、この場合、吸引口９は、便器本体１の下部のスカート部１ａに便器本体１外に開口するように設けることができる。
【００３５】
なお、本発明の便器は、吸引口９が設けられたものとして便器本体１を成形するために、少なくとも便器本体１は樹脂製とすることが好ましい。
【図面の簡単な説明】
【００３６】
【図１】本発明の便器の第１の実施形態を示した斜視図である。
【図２】本発明の便器の第２の実施形態を示した斜視図である。
【符号の説明】
【００３７】
１  便器本体
１ａ    スカート部
６  制御部
９  吸引口
１０  ファン
１０ａ  吸気口
１０ｂ  排気口
１１  吸気路
１２  排気路
１３  排出口
１５  ほうき部
【図１】
2008081964.tif 000003
【図２】
2008081964.tif 000004